(57)【要約】【課題】  この発明は、再生が済んだコンテンツについて圧縮を行うか、否かを決定し、圧縮を行うと決定されたコンテンツの圧縮を行うコンテンツ記録装置、放送受信装置を提供することを目的としている。【解決手段】  コンテンツを受信するコンテンツ受信手段（１０）と、受信したコンテンツを記録媒体へ記録するコンテンツ記録手段（１３）と、記録媒体に記録されたコンテンツを再生する再生手段（１４）と、再生されたコンテンツに再生されたことを示す再生フラッグを付与する手段（１８）と、再生されたコンテンツを圧縮することが決定されるコンテンツ圧縮決定手段（１８）と、再生されたコンテンツを圧縮することが決定された場合は、前記再生フラッグが付与されたコンテンツを圧縮する圧縮手段（１３）と、圧縮されたコンテンツを記録媒体へ記録する圧縮コンテンツ記録手段（１３）とを備えるように構成するものである。【選択図】  図２
2005182912.tif 000002
【特許請求の範囲】
【請求項１】
コンテンツを記録媒体へ記録するコンテンツ記録装置において、
コンテンツを受信するコンテンツ受信手段と、
受信したコンテンツを記録媒体へ記録するコンテンツ記録手段と、
記録媒体に記録されたコンテンツを再生する再生手段と、
前記再生されたコンテンツに再生されたことを示す再生フラッグを付与する手段と、
前記再生されたコンテンツを圧縮することが決定されるコンテンツ圧縮決定手段と、
再生されたコンテンツを圧縮することが決定された場合は、前記再生フラッグが付与されたコンテンツを圧縮する圧縮手段と、
前記圧縮されたコンテンツを記録媒体へ記録する圧縮コンテンツ記録手段とを備えることを特徴とするコンテンツ記録装置。
【請求項２】
コンテンツを記録媒体へ記録するコンテンツ記録装置において、
記録媒体に記録されたコンテンツを再生する再生手段と、
前記再生されたコンテンツに再生されたことを示す再生フラッグを付与する手段と、
前記再生されたコンテンツを圧縮することが決定されるコンテンツ圧縮決定手段と、
再生されたコンテンツを圧縮することが決定された場合は、前記再生フラッグが付与されたコンテンツを圧縮する圧縮手段と、
前記圧縮されたコンテンツを記録媒体へ記録する圧縮コンテンツ記録手段とを備えることを特徴とするコンテンツ記録装置。
【請求項３】
放送を受信する放送受信装置において、
コンテンツが含まれる放送を受信する放送受信手段と、
受信した放送に含まれるコンテンツを記録媒体へ記録するコンテンツ記録手段と、
コンテンツを表示する表示手段と、
記録媒体に記録されたコンテンツを前記表示手段に表示して再生する再生手段と、
前記再生されたコンテンツに再生されたことを示す再生フラッグを付与する再生フラッグ付与手段と、
前記再生されたコンテンツを圧縮することを決定するコンテンツ圧縮決定手段と、
再生されたコンテンツを圧縮することが決定された場合は、前記再生フラッグが付与されたコンテンツを圧縮する圧縮手段と、
前記圧縮されたコンテンツを記録媒体へ記録する圧縮コンテンツ記録手段とを備えることを特徴とする放送受信装置。
【請求項４】
コンテンツを記録媒体へ記録するコンテンツ記録装置において、
コンテンツを受信するコンテンツ受信手段と、
受信したコンテンツを記録媒体へ記録するコンテンツ記録手段と、
記録媒体に記録されたコンテンツを再生する再生手段と、
前記再生された各々のコンテンツの再生回数をカウントする再生回数カウント手段と、
前記再生された各々のコンテンツに再生回数情報を付与する再生回数情報付与手段と、
記録媒体に記録されたコンテンツを、前記付与された再生回数情報と対応付けて表示する表示手段と、
前記表示手段に表示されたコンテンツの中から圧縮するコンテンツが選択される圧縮コンテンツ選択手段と、
前記選択されたコンテンツを圧縮する圧縮手段と、
前記圧縮されたコンテンツを記録媒体へ記録する圧縮コンテンツ記録手段とを備えることを特徴とするコンテンツ記録装置。
【請求項５】
記録媒体に記録された複数のコンテンツを再生回数情報と共に表示手段へ表示すること
を特徴とする請求項４に記載のコンテンツ記録装置。
【請求項６】
放送を受信する放送受信装置において、
コンテンツが含まれる放送を受信する放送受信手段と、
受信した放送に含まれるコンテンツを記録媒体へ記録するコンテンツ記録手段と、
記録媒体に記録されたコンテンツを再生する再生手段と、
前記再生された各々のコンテンツの再生回数をカウントする再生回数カウント手段と、
前記再生された各々のコンテンツに再生回数情報を付与する再生回数情報付与手段と、
記録媒体に記録されたコンテンツを、前記付与された再生回数情報と対応付けて表示する表示手段と、
前記表示手段に表示されたコンテンツの中から圧縮するコンテンツが選択される圧縮コンテンツ選択手段と、
前記選択されたコンテンツを圧縮する圧縮手段と、
前記圧縮されたコンテンツを記録媒体へ記録する圧縮コンテンツ記録手段とを備えることを特徴とする放送受信装置。
【請求項７】
記録媒体に記録された複数のコンテンツを再生回数情報と共に表示手段へ表示することを特徴とする請求項６に記載のコンテンツ記録装置。
【請求項８】
コンテンツを受信するステップと、
受信したコンテンツを記録媒体へ記録するステップと、
記録媒体に記録されたコンテンツを再生するステップと、
前記再生されたコンテンツに再生されたことを示す再生フラッグを付与するステップと、
前記再生されたコンテンツを圧縮することが決定されるステップと、
再生されたコンテンツを圧縮することが決定された場合は、前記再生フラッグが付与されたコンテンツを圧縮するステップと、
前記圧縮されたコンテンツを記録媒体へ記録するステップとを備えることを特徴とするコンテンツ記録方法。
【請求項９】
記録媒体に記録されたコンテンツを再生する再生手段と、
前記再生されたコンテンツに再生されたことを示す再生フラッグを付与するステップと、
前記再生されたコンテンツを圧縮することが決定されるステップと、
再生されたコンテンツを圧縮することが決定された場合は、前記再生フラッグが付与されたコンテンツを圧縮するステップと、
前記圧縮されたコンテンツを記録媒体へ記録するステップとを備えることを特徴とするコンテンツ記録方法。
【請求項１０】
コンテンツが含まれる放送を受信するステップと、
受信した放送に含まれるコンテンツを記録媒体へ記録するステップと、
コンテンツを表示するステップと、
記録媒体に記録されたコンテンツを再生するステップと、
前記再生されたコンテンツに再生されたことを示す再生フラッグを付与するステップと、
前記再生されたコンテンツを圧縮することを決定するステップと、
再生されたコンテンツを圧縮することが決定された場合は、前記再生フラッグが付与されたコンテンツを圧縮するステップと、
前記圧縮されたコンテンツを記録媒体へ記録するステップとを備えることを特徴とする放送受信方法。
【請求項１１】
コンテンツを受信するステップと、
受信したコンテンツを記録媒体へ記録するステップと、
記録媒体に記録されたコンテンツを再生するステップと、
前記再生された各々のコンテンツの再生回数をカウントするステップと、
前記再生された各々のコンテンツに再生回数情報を付与するステップと、
記録媒体に記録されたコンテンツを、前記付与された再生回数情報と対応付けて表示するステップと、
前記表示されたコンテンツの中から圧縮するコンテンツが選択されるステップと、
前記選択されたコンテンツを圧縮するステップと、
前記圧縮されたコンテンツを記録媒体へ記録するステップとを備えることを特徴とするコンテンツ記録方法。
【発明の詳細な説明】
【技術分野】
【０００１】
この発明は、受信したコンテンツを記録媒体へ記録するコンテンツ記録装置、放送受信装置に関する。またこの発明は、記録媒体に記録されたコンテンツを圧縮して記録するコンテンツ記録装置、放送受信装置に関する。
【背景技術】
【０００２】
現在、映像、音声、その他のデータ（以下コンテンツと称する）を記録するコンテンツ記録装置が製品化されている。
【０００３】
コンテンツを記録媒体に記録する際にはデータ量を圧縮してから記録することも行われているが、一般に、データ量の圧縮率が高ければ低画質、データ量の圧縮率が低ければ高画質となる。
【０００４】
データ量の圧縮率が高ければ記録媒体が使用する記録容量を少なくすることができ、長時間の記録を行うことができるが、データ量の圧縮率が低ければ記録可能な時間はデータ量の圧縮率が高い場合に比べて短くなる。
【０００５】
特許文献１には、初めに比較的低い圧縮率で圧縮したコンテンツを記録し、その後に高圧縮率に変換して再記録する技術が開示されている。特許文献１では、記録済コンテンツを再圧縮、再記録する際、高画質で保存しておきたいものと低画質としてもよいコンテンツを区別して再圧縮の順序に応じて行うようにしている。しかし、ディスクの残記憶容量に応じて再圧縮を行うので、コンテンツの再生が済んでいない場合においても、高い圧縮率で圧縮されてしまう恐れがあった。
【特許文献１】特開２００３−２３５００９号公報
【発明の開示】
【発明が解決しようとする課題】
【０００６】
そこで、この発明は上記事情を考慮してなされたもので、再生が済んだコンテンツについて圧縮を行うか、否かを決定し、圧縮を行うと決定されたコンテンツの圧縮を行うコンテンツ記録装置、放送受信装置を提供することを目的とする。
【課題を解決するための手段】
【０００７】
この発明に係るコンテンツ記録装置は、コンテンツを受信するコンテンツ受信手段と、受信したコンテンツを記録媒体へ記録するコンテンツ記録手段と、記録媒体に記録されたコンテンツを再生する再生手段と、前記再生されたコンテンツに再生されたことを示す再生フラッグを付与する手段と、前記再生されたコンテンツを圧縮することが決定されるコンテンツ圧縮決定手段と、再生されたコンテンツを圧縮することが決定された場合は、前記再生フラッグが付与されたコンテンツを圧縮する圧縮手段と、前記圧縮されたコンテンツを記録媒体へ記録する圧縮コンテンツ記録手段とを備えるように構成するものである。
【０００８】
この発明に係るコンテンツ記録方法は、コンテンツを受信するステップと、
受信したコンテンツを記録媒体へ記録するステップと、記録媒体に記録されたコンテンツを再生するステップと、前記再生されたコンテンツに再生されたことを示す再生フラッグを付与するステップと、前記再生されたコンテンツを圧縮することが決定されるステップと、再生されたコンテンツを圧縮することが決定された場合は、前記再生フラッグが付与されたコンテンツを圧縮するステップと、前記圧縮されたコンテンツを記録媒体へ記録
するステップとを備えるように構成するものである。
【発明の効果】
【０００９】
上記した構成によれば、記録媒体に記録されたコンテンツの中から、再生が済んだコンテンツについて圧縮を行うか、否かを決定し、圧縮を行うと決定されたコンテンツの圧縮を行うようにしたので、再生が済んでいないコンテンツが、ユーザの指示もなく高い圧縮率で圧縮されてしまうことを防止することが可能となる。このため、ユーザの利便性を向上させることが可能となる。
【発明を実施するための最良の形態】
【００１０】
以下、この発明の実施の形態について図面を参照して詳細に説明する。
【００１１】
図１はこの発明の実施の形態を示すもので、（ａ）はビデオレコーダの外観を示す図、（ｂ）はＴＶ（テレビジョン装置）の外観を示す図である。
【００１２】
ビデオレコーダ３０、ＴＶ（テレビジョン装置）４０にはそれぞれ、ＤＶＤＲＡＭやＨＤＤ記録媒体等の記録媒体が装着され、放送等に含まれるコンテンツが記録される。
【００１３】
図２はこの発明の実施の形態を示すもので、ビデオレコーダの構成を示すブロック図である。
【００１４】
符号９は放送を受信するアンテナである。この発明はアナログ放送でもよいが、ここではデジタル放送を例にとって説明する。符号１０は放送受信部（放送受信手段）、符号１１はトランスポートストリーム処理部、符号１２はＭＰＥＧデコード部、符号１３はコンテンツ記録部（コンテンツ記録手段）、符号１４は映像信号処理部（映像信号処理手段）である。符号１５はビデオレコーダには内蔵されない映像表示部（映像表示手段）である。
【００１５】
ＣＰＵ１８はビデオレコーダ３０内に設けられた放送受信部１０、トランスポートストリーム処理部１１、ＭＰＥＧデコード部１２、コンテンツ記録部１３、映像信号処理部１４に接続され、それぞれを制御する。
【００１６】
コンテンツが含まれるデジタル放送がアンテナ９で受信され、放送受信部１０へ出力される。放送受信部１０ではデジタル放送が選局され、選局された放送がトランスポートストリーム処理部（Transport Stream処理部）１１へ出力される。
【００１７】
ＴＳ処理部１１ではデジタル放送のトランスポートストリーム（Transport Stream）がDemux（デマルチプレクス）処理され、ＭＰＥＧデコード部１２へ出力される。ＭＰＥＧデコード部１２ではTransport StreamがDemux処理された放送信号がＭＰＥＧデコード処理されて出力される。
【００１８】
ここで、ＭＰＥＧデコード処理は上記デジタル放送がＭＰＥＧ４圧縮の形態で送信される場合はＭＰＥＧ４のデコード処理が行われ、上記デジタル放送がＭＰＥＧ２圧縮の形態で送信される場合はＭＰＥＧ２のデコード処理が行われる。また、上記デジタル放送がＨ２４６圧縮の形態で送信される場合はＨ２４６のデコード処理が行われる。
【００１９】
ＭＰＥＧデコード部１２でデコード処理されて出力された放送信号はコンテンツ記録部１３へ入力される。コンテンツ記録部１３では入力されたコンテンツがＤＶＤやＨＤＤ等の記録媒体へ記録される。
【００２０】
ユーザにより、特に図示しない再生動作が指示されると、上記記録媒体に記録されたコンテンツが映像信号の形態で映像信号処理部１４へ出力される。映像信号処理部１４では映像信号の処理を行い、映像表示部１５へ処理された映像信号を出力する。
【００２１】
図３はこの発明の実施の形態を示すもので、ＴＶの構成を示すブロック図である。
【００２２】
ここでは、上記と同様の構成については同一の符号を付して説明を省略する。
【００２３】
符号１５はＴＶに内蔵される映像表示部（映像表示手段）である。ＣＰＵ１８はＴＶ４０内に設けられた放送受信部１０、トランスポートストリーム処理部１１、ＭＰＥＧデコード部１２、コンテンツ記録部１３、映像信号処理部１４に接続され、それぞれを制御する。
【００２４】
上記と同様にコンテンツが含まれるデジタル放送がアンテナ９で受信され、放送受信部１０へ出力される。放送受信部１０ではデジタル放送が選局され、選局された放送がトランスポートストリーム処理部（Transport Stream処理部）１１へ出力される。
【００２５】
ＴＳ処理部１１ではデジタル放送のトランスポートストリーム（Transport Stream）がDemux（デマルチプレクス）処理され、ＭＰＥＧデコード部１２へ出力される。ＭＰＥＧデコード部１２ではTransport StreamがDemux処理された放送信号がＭＰＥＧデコード処理されて出力される。
【００２６】
ここで、ＭＰＥＧデコード処理は上記デジタル放送がＭＰＥＧ４圧縮の形態で送信される場合はＭＰＥＧ４のデコード処理が行われ、上記デジタル放送がＭＰＥＧ２圧縮の形態で送信される場合はＭＰＥＧ２のデコード処理が行われる。また、上記デジタル放送がＨ２４６圧縮の形態で送信される場合はＨ２４６のデコード処理が行われる。
【００２７】
ＭＰＥＧデコード部１２でデコード処理されて出力された放送信号はコンテンツ記録部１３へ入力される。コンテンツ記録部１３では入力されたコンテンツがＤＶＤやＨＤＤ等の記録媒体へ記録される。
【００２８】
ユーザにより、特に図示しない再生動作が指示されると、上記記録媒体に記録されたコンテンツが映像信号の形態で映像信号処理部１４へ出力される。映像信号処理部１４では映像信号の処理を行い、映像表示部１５へ処理された映像信号を出力する。
【００２９】
図４はこの発明の実施の形態を示すもので、コンテンツ記録装置または放送受信装置に係る、再生されたコンテンツを圧縮する動作を説明するフローチャートである。
【００３０】
符号１００はここでの開始ステップである。ここでは、コンテンツを含む放送や、コンテンツそのものが受信され、記録媒体に記録されている。続いて符号１０３を付したステップへ進む。
【００３１】
符号１０３は記録媒体に記録されたコンテンツを上記のように再生するステップである。続いて符号１０４を付したステップへ進む。
【００３２】
符号１０４は再生されたコンテンツに再生フラッグを付与するステップである。この再生フラッグはＣＰＵ１８で作成され、各々のコンテンツに関連付けられて、例えば記録媒体に記録される。続いて符号１０５を付したステップへ進む。
【００３３】
符号１０５は再生されたコンテンツを圧縮するか否かを判断し、決定するステップであ
る。この判断は、例えばユーザによって判断されてもよいし、ＣＰＵ１８が判断してもよい。再生されたコンテンツを圧縮すると決定した場合は符号１０６を付したステップへ進む（Ｙｅｓ）。再生されたコンテンツを圧縮すると決定しない場合は符号１０８を付したステップへ進む（Ｎｏ）。
【００３４】
符号１０６は上記再生済フラッグが付与されたコンテンツを圧縮するステップである。続いて符号１０７を付したステップへ進む。
【００３５】
符号１０７は圧縮されたコンテンツを記録媒体へ記録するステップである。続いて符号１０８を付したステップへ進む。
【００３６】
符号１０８は終了ステップであり、ここでの処理は終了する。
【００３７】
図５はこの発明の実施の形態を示すもので、コンテンツ記録装置または放送受信装置に係る、再生されたコンテンツを圧縮する動作を説明するフローチャートである。
【００３８】
符号２００はここでの開始ステップである。ここでは、コンテンツを含む放送や、コンテンツそのものが受信され、記録媒体に記録されている。続いて符号２０１を付したステップへ進む。
【００３９】
符号２０１は放送に含まれるコンテンツまたはコンテンツそのものを受信するステップである。続いて符号２０２を付したステップへ進む。
【００４０】
符号２０２はコンテンツを記録媒体へ記録するステップである。続いて符号２０３を付したステップへ進む。
【００４１】
符号２０３は記録媒体に記録されたコンテンツを再生するステップである。続いて符号２０４を付したステップへ進む。
【００４２】
符号２０４は再生されたコンテンツに再生フラッグを付与するステップである。この再生フラッグはＣＰＵ１８で作成され、各々のコンテンツに関連付けられて、例えば記録媒体に記録される。続いて符号２０５を付したステップへ進む。
【００４３】
符号２０５は再生されたコンテンツを圧縮するか否かを判断し、決定するステップである。この判断は、例えばユーザによって判断されてもよいし、ＣＰＵ１８が判断してもよい。再生されたコンテンツを圧縮すると決定した場合は符号２０６を付したステップへ進む（Ｙｅｓ）。再生されたコンテンツを圧縮すると決定しない場合は符号２０８を付したステップへ進む（Ｎｏ）。
【００４４】
符号２０６は上記再生済フラッグが付与されたコンテンツを圧縮するステップである。続いて符号２０７を付したステップへ進む。
【００４５】
符号２０７は圧縮されたコンテンツを記録媒体へ記録するステップである。続いて符号２０８を付したステップへ進む。
【００４６】
符号２０８は終了ステップであり、ここでの処理は終了する。
【００４７】
図６はこの発明の実施の形態を示すもので、コンテンツ記録装置または放送受信装置に係る、再生回数が付与されたコンテンツを圧縮する動作を説明するフローチャートである。
【００４８】
符号３００はここでの開始ステップである。ここでは、コンテンツを含む放送や、コンテンツそのものが受信され、記録媒体に記録されている。続いて符号３０１を付したステップへ進む。
【００４９】
符号３０１は記録媒体に記録されたコンテンツを再生するステップである。続いて符号３０２を付したステップへ進む。
【００５０】
符号３０２は各々のコンテンツの再生回数をカウントするステップである。この再生回数はＣＰＵ１８でカウントされる。続いて符号３０３を付したステップへ進む。
【００５１】
符号３０３は各々のコンテンツに再生回数情報付与するステップである。この再生回数情報はＣＰＵ１８で作成され、各々のコンテンツに関連付けられて、例えば記録媒体に記録される。続いて符号３０４を付したステップへ進む。
【００５２】
符号３０４は再生回数表示指示を受けるステップである。続いて符号３０５を付したステップへ進む。
【００５３】
符号３０５は記録媒体に記録されたコンテンツに再生回数を対応付けてサムネイル表示を行うステップである。ここでは、図７にその表示例を示す。
【００５４】
図７はこの発明の実施の形態を示すもので、コンテンツ記録装置または放送受信装置に係る、再生回数が付与されたコンテンツの表示例を示す図である。
【００５５】
ここでは、複数すなわち、６つのコンテンツが表示されている。複数のコンテンツはそれぞれ、コンテンツＡ、コンテンツＢ、コンテンツＣ、コンテンツＤ、コンテンツＥ、コンテンツＦである。
【００５６】
再生回数はＣＰＵ１８によってカウントされており、コンテンツＡには再生回数２回、コンテンツＢには再生回数１回、コンテンツＣには再生回数３回、コンテンツＤには再生回数４回、コンテンツＥには再生回数０回（０は再生されていないが０回としてカウントする）、コンテンツＦには再生回数５回がそれぞれ対応付けられて表示される。続いて符号３０６を付したステップへ進む。
【００５７】
符号３０６は圧縮するコンテンツを選択するステップである。続いて符号３０７を付したステップへ進む。
【００５８】
符号３０７は選択されたコンテンツを圧縮するか否かを判断するステップである。選択されたコンテンツを圧縮する場合は符号３０８を付したステップへ進む（Ｙｅｓ）。選択されたコンテンツを圧縮しない場合は符号３１０を付したステップへ進む（Ｎｏ）。
【００５９】
符号３０８は選択されたコンテンツを圧縮するステップである。続いて符号３０９を付したステップへ進む。
【００６０】
符号３０９は圧縮されたコンテンツを記録媒体へ記録するステップである。続いて符号３１０を付したステップへ進む。
【００６１】
符号３１０は終了ステップであり、ここでの処理は終了する。
【００６２】
上記のように構成することによって、記録媒体に記録されたコンテンツの中から、再生
が済んだコンテンツについて圧縮を行うか、否かを決定し、圧縮を行うと決定されたコンテンツの圧縮を行うようにしたので、再生が済んでいないコンテンツが、ユーザの指示もなく高い圧縮率で圧縮されてしまうことを防止することが可能となる。
【００６３】
なお、この発明は上記した実施の形態そのままに限定されるものではなく、実施段階ではその趣旨を逸脱しない範囲で構成要素を種々変形して具体化することができる。
【図面の簡単な説明】
【００６４】
【図１】この発明の実施の形態を示すもので、（ａ）はビデオレコーダの外観を示す図、（ｂ）はＴＶ（テレビジョン装置）の外観を示す図。
【図２】この発明の実施の形態を示すもので、ビデオレコーダの構成を示すブロック図。
【図３】この発明の実施の形態を示すもので、ＴＶの構成を示すブロック図。
【図４】この発明の実施の形態を示すもので、コンテンツ記録装置または放送受信装置に係る、再生されたコンテンツを圧縮する動作を説明するフローチャート。
【図５】この発明の実施の形態を示すもので、コンテンツ記録装置または放送受信装置に係る、再生されたコンテンツを圧縮する動作を説明するフローチャート。
【図６】この発明の実施の形態を示すもので、コンテンツ記録装置または放送受信装置に係る、再生回数が付与されたコンテンツを圧縮する動作を説明するフローチャート。
【図７】この発明の実施の形態を示すもので、コンテンツ記録装置または放送受信装置に係る、再生回数が付与されたコンテンツの表示例を示す図。
【符号の説明】
【００６５】
９…アンテナ、１０…放送受信部（放送受信手段）、１１…トランスポートストリーム処理部、１２…ＭＰＥＧデコード部、１３…コンテンツ記録部（コンテンツ記録手段）、１４…映像信号処理部（映像信号処理手段）、１５…映像表示部（映像表示手段）、１８…制御部（ＣＰＵ）３０…ビデオレコーダ、４０…ＴＶ（テレビジョン受信装置）。
【図１】
2005182912.tif 000003
【図２】
2005182912.tif 000004
【図３】
2005182912.tif 000005
【図４】
2005182912.tif 000006
【図５】
2005182912.tif 000007
【図６】
2005182912.tif 000008
【図７】
2005182912.tif 000009